(57)【要約】【課題】  ＦＰ法で試料の組成や面積密度を分析する蛍光Ｘ線分析装置などにおいて、種々の試料について、簡便にしかもジオメトリ効果を十分現実に則し加味して理論強度を計算し、十分正確に定量分析できるものを提供する。【解決手段】  仮定した組成に基づいて、試料13中の各元素から発生する２次Ｘ線6 の理論強度を計算し、その理論強度と検出手段9 で測定した測定強度を理論強度スケールに換算した換算測定強度とが一致するように、仮定した組成を逐次近似的に修正計算して、試料13の組成を算出する算出手段10とを備え、その算出手段10が、理論強度を計算するにあたり、試料13の大きさ、ならびに試料表面13a の各位置に照射される１次Ｘ線2 の強度および入射角φをパラメータとして、光路ごとに２次Ｘ線6 の理論強度をシミュレーション計算する。【選択図】  図３
2006292399.tif 000002
【特許請求の範囲】
【請求項１】
試料に１次Ｘ線を照射するＸ線源と、
試料から発生する２次Ｘ線の強度を測定する検出手段と、
仮定した組成に基づいて、試料中の各元素から発生する２次Ｘ線の理論強度を計算し、その理論強度と前記検出手段で測定した測定強度を理論強度スケールに換算した換算測定強度とが一致するように、前記仮定した組成を逐次近似的に修正計算して、試料の組成を算出する算出手段とを備えた蛍光Ｘ線分析装置において、
前記算出手段が、前記理論強度を計算するにあたり、試料の大きさ、ならびに試料表面の各位置に照射される１次Ｘ線の強度および入射角をパラメータとして、光路ごとに２次Ｘ線の理論強度をシミュレーション計算することを特徴とする蛍光Ｘ線分析装置。
【請求項２】
請求項１において、
前記算出手段が、複数の前記仮定した組成について、前記理論強度を同時に計算する蛍光Ｘ線分析装置。
【請求項３】
請求項１または２において、
前記算出手段が、あらかじめ求められた試料表面における１次Ｘ線の入射角分布または散乱角分布を用いる蛍光Ｘ線分析装置。
【請求項４】
請求項１から３までのいずれか一項において、
試料表面の高さを測るための目盛りが設けられた試料容器を備えた蛍光Ｘ線分析装置。
【請求項５】
請求項１から４までのいずれか一項に記載の蛍光Ｘ線分析装置が備えるコンピュータを前記算出手段として機能させるためのプログラム。
【発明の詳細な説明】
【技術分野】
【０００１】
本発明は、ＦＰ法で試料の組成や面積密度を分析する蛍光Ｘ線分析装置およびそれに用いるプログラムに関する。
【背景技術】
【０００２】
従来、ファンダメンタルパラメータ法（以下、ＦＰ法という）を利用して、試料の組成や面積密度を分析する蛍光Ｘ線分析装置がある。ＦＰ法では、仮定した組成つまり元素の濃度に基づいて、試料中の各元素から発生する２次Ｘ線の理論強度を計算し、その理論強度と検出手段で測定した測定強度を理論強度スケールに換算した換算測定強度とが一致するように、前記仮定した元素の濃度を逐次近似的に修正計算して、試料における元素の濃度つまり組成を算出する。ここで、前記理論強度を計算するにあたっては、無限に大きな試料に平行な１次Ｘ線が均一に照射され、その一部から発生する２次Ｘ線を観測しているという計算モデルを用いている。
【０００３】
しかし、実際には、試料の大きさも１次Ｘ線の照射領域も有限であり、１次Ｘ線の入射角も入射位置によって異なっているため、試料から実際に発生する２次Ｘ線の強度は、前記計算モデルで発生する２次Ｘ線の強度とは完全には一致しない。これをジオメトリ効果と呼ぶが、ジオメトリ効果を十分現実に則し加味して理論強度を計算しないと、分析結果としての試料の組成も十分正確にはならない。
【０００４】
そこで、ジオメトリ効果を加味して理論強度を計算すべく、ソフトウエア“UniQuant”が、Omega Date system 社から発表されている。このソフトウエアでは、あらかじめ試料の厚さを系統的に変化させて深さ方向の感度曲線を求めておき、その感度曲線を用いて理論強度を計算する。
【発明の開示】
【発明が解決しようとする課題】
【０００５】
しかし、深さ方向の感度曲線は、分析対象の２次Ｘ線および試料の組成によって変化するため、多種類の試料にこの従来の技術を適切に適用するには、多数の感度曲線をあらかじめ求めておかなければならず、現実的でない。
【０００６】
本発明は前記従来の問題に鑑みてなされたもので、ＦＰ法で試料の組成や面積密度を分析する蛍光Ｘ線分析装置およびそれに用いるプログラムにおいて、種々の試料について、簡便にしかもジオメトリ効果を十分現実に則し加味して理論強度を計算し、十分正確に定量分析できるものを提供することを目的とする。
【課題を解決するための手段】
【０００７】
前記目的を達成するために、本発明の第１構成は、試料に１次Ｘ線を照射するＸ線源と、試料から発生する２次Ｘ線の強度を測定する検出手段と、仮定した組成に基づいて、試料中の各元素から発生する２次Ｘ線の理論強度を計算し、その理論強度と前記検出手段で測定した測定強度を理論強度スケールに換算した換算測定強度とが一致するように、前記仮定した組成を逐次近似的に修正計算して、試料の組成を算出する算出手段とを備えた蛍光Ｘ線分析装置において、前記算出手段が、前記理論強度を計算するにあたり、試料の大きさ、ならびに試料表面の各位置に照射される１次Ｘ線の強度および入射角をパラメータとして、光路ごとに２次Ｘ線の理論強度をシミュレーション計算することを特徴とする。
【０００８】
第１構成の装置によれば、理論強度を計算するにあたり、試料の大きさ、ならびに試料表面の各位置に照射される１次Ｘ線の強度および入射角をパラメータとして、光路ごとに２次Ｘ線の理論強度をシミュレーション計算するので、多数の感度曲線をあらかじめ求めておく必要がなく、種々の試料について、簡便にしかもジオメトリ効果を十分現実に則し加味して理論強度を計算し、十分正確に定量分析できる。なお、試料の組成を算出するために要する全体の計算時間は、従来よりも長くなるが、十分実用の範囲内である。
【０００９】
第１構成の装置においては、前記算出手段が、複数の前記仮定した組成について、前記理論強度を同時に計算することが好ましい。この好ましい構成によれば、全体の計算時間が短縮される。
【００１０】
また、第１構成の装置においては、前記算出手段が、あらかじめ求められた試料表面における１次Ｘ線の入射角分布または散乱角分布を用いることが好ましい。試料表面における１次Ｘ線の入射角分布や散乱角分布は、通常、Ｘ線源を変更しない限り変化するものではないので、この好ましい構成においては、それをあらかじめ求めておいて理論強度の計算に用いる。これによれば、理論強度の計算時間が短縮されるため、全体の計算時間も短縮される。なお、試料表面における１次Ｘ線の入射角分布や散乱角分布は、試料ごとに変化するものではないので、前記従来の技術における感度曲線のように、多数求めておく必要はない。
【００１１】
さらに、第１構成の装置においては、試料表面の高さを測るための目盛りが設けられた試料容器を備えることが好ましい。前記パラメータとしての試料表面の各位置に照射される１次Ｘ線の強度および入射角は、Ｘ線源に対する試料表面の高さによって変わってくるため、試料表面の高さは既知でなければならない。この好ましい構成においては、試料容器に試料表面の高さを測るための目盛りが設けられているので、試料表面の高さの測定や調整が容易である。
【００１２】
本発明の第２構成は、前記第１構成の装置が備えるコンピュータを前記算出手段として機能させるためのプログラムである。本発明の第２構成のプログラムによっても、前記第１構成の装置と同様の作用効果が得られる。
【発明を実施するための最良の形態】
【００１３】
以下、本発明の一実施形態の蛍光Ｘ線分析装置について、図にしたがって説明する。図１に示すように、この装置は、試料１３が載置される試料台８と、試料１３に１次Ｘ線２を照射するＸ線管などのＸ線源１と、試料１３から発生する蛍光Ｘ線や散乱線などの２次Ｘ線４の強度を測定する検出手段９とを備えている。Ｘ線源１の前方にはアパーチャー１１が設けられ、その開口により１次Ｘ線２の拡がりが決められている。また、試料表面１３ａの直上にはマスク１２が設けられ、その開口により試料表面１３ａにおける１次Ｘ線２の照射領域が決められている。検出手段９は、試料１３から発生する２次Ｘ線４を分光する分光素子５と、分光された２次Ｘ線６ごとにその強度を測定する検出器７で構成される。なお、分光素子５を用いずに、エネルギー分解能の高い検出器を検出手段としてもよい。
【００１４】
そして、仮定した組成つまり元素の濃度に基づいて、試料１３中の各元素から発生する２次Ｘ線４の理論強度を計算し、その理論強度と検出手段９で測定した測定強度を理論強度スケールに換算した換算測定強度とが一致するように、仮定した元素の濃度を逐次近似的に修正計算して、試料１３における元素の濃度つまり組成を算出する算出手段１０を備え、その算出手段１０が、理論強度を計算するにあたり、試料１３の大きさ、ならびに試料表面１３ａの各位置に照射される１次Ｘ線２の強度および入射角φをパラメータとして、光路（２，４，６）ごとに２次Ｘ線６の理論強度をシミュレーション計算する。
【００１５】
また、この実施形態の算出手段１０は、特願２００４−２５１７８５に記載の発明のように、酸素、炭素など蛍光Ｘ線を測定しない元素（強度が小さく吸収による減衰も大きいために事実上蛍光Ｘ線を測定できない元素で、以下、非測定元素という）については、平均原子番号を仮定して、対応する２次Ｘ線として散乱線４を用い、理論強度と換算測定強度とが一致するように、仮定した平均原子番号を逐次近似的に修正計算する。
【００１６】
前記散乱線の理論強度および測定強度としては、１次Ｘ線の連続Ｘ線の散乱線の理論強度および測定強度、コンプトン散乱線の理論強度および測定強度、トムソン散乱線の理論強度および測定強度、ならびに、それらの散乱線のうちいずれか２つの散乱線の理論強度比および測定強度比からなる一群から選ばれた１つを用いることができる。
【００１７】
この装置は、以下のように動作する。試料台８に載置された試料１３に、Ｘ線源１から１次Ｘ線２を照射して、発生した２次Ｘ線４を分光素子５に入射させ、分光された２次Ｘ線６ごとにその強度を検出器７で測定する。そして、算出手段１０が図２に示すフローチャートにしたがって演算を行う。
【００１８】
まず、ステップ１で、各測定元素の濃度の初期値、非測定元素の平均原子番号の初期値、必要に応じて試料の面積密度（または厚さ）の初期値をセットする。各測定元素の濃度の初期値は、試料の品種に応じてセットすることもできるが、すべて１mass％とセットしてもよい。非測定元素の平均原子番号の初期値は、例えば８とセットする。
【００１９】
次に、ステップ２で、次式（１）によって蛍光Ｘ線と散乱線の測定強度ＩｍｅａｓＭを理論強度スケールに換算して、それぞれの換算測定強度ＩｍｅａｓＴとする。
【００２０】
ＩｍｅａｓＴ＝Ａ(ＩｍｅａｓＭ)２＋ＢＩｍｅａｓＭ＋Ｃ    …（１）
【００２１】
次に、ステップ３で、セットした初期値に基づいて、各蛍光Ｘ線の理論強度ＩＦＴｉと散乱線の理論強度ＩＳＴｉを計算する。このステップ３および次のステップ４での理論強度の計算の仕方に本発明の特徴があるが、それについては後述する。
【００２２】
次に、ステップ４で、各測定元素の濃度、非測定元素の平均原子番号をそれぞれ所定値変更し、変更後の理論強度を計算する。つまり、蛍光Ｘ線については、ｊ元素の濃度をｄｗ％変化させたときの、ｉ元素の理論強度ＩＦＴｉｊと、非測定元素の平均原子番号をｄＺ変化させたときの、ｉ元素の理論強度ＩＦＴｉＺ、散乱線については、ｊ元素の濃度をｄｗ％変化させたときの、ｉ散乱線の理論強度ＩＳＴｉｊと、非測定元素の平均原子番号をｄＺ変化させたときの、ｉ散乱線の理論強度ＩＳＴｉＺを計算する。ｄＺは、例えば、０．０５とする。
【００２３】
次に、ステップ５で、差分方程式に基づいて、各測定元素の濃度、非測定元素の平均原子番号を更新する。具体的には、まず、蛍光Ｘ線ごと、散乱線ごとに、次式（２）、（３）の差分連立方程式を作成し、解くことにより、各測定元素の濃度、非測定元素の平均原子番号を更新するための修正値Δｗｊ、ΔＺを求める。
【００２４】
ＩｆｍｅａｓＴｉ−ＩＦＴｉ＝(ｄＩＦＴｉ／ｄＺ)ΔＺ＋Σ(ｄＩＦＴｉ／ｄｗｊ)Δｗｊ    …（２）
【００２５】
ＩｓｍｅａｓＴｉ−ＩＳＴｉ＝(ｄＩＳＴｉ／ｄＺ)ΔＺ＋Σ(ｄＩＳＴｉ／ｄｗｊ)Δｗｊ    …（３）
【００２６】
ここで、蛍光Ｘ線については、各微分項は、次式（４）で求める。
【００２７】
(ｄＩＦＴｉ／ｄｗｊ)＝((ＩＦＴｉｊ−ＩＦＴｉ)／ｄｗｊ)    …（４）
【００２８】
散乱線については、散乱線の強度としてコンプトン散乱線やトムソン散乱線などの強度を単独で用いる場合には、蛍光Ｘ線と同様に、各微分項は、次式（５）で求める。
【００２９】
(ｄＩＳＴｉ／ｄｗｊ)＝((ＩＳＴｉｊ−ＩＳＴｉ)／ｄｗｊ)    …（５）
【００３０】
散乱線の強度として、例えばコンプトン散乱線とトムソン散乱線の強度比を用いる場合には、単独の散乱線の強度を用いるところに両散乱線の強度比を適用する。例えば、前式（３）、（５）の散乱線の理論強度ＩＳＴｉのところに、次式（６）のように、散乱線の理論強度比ＩＳＴｉＲとして、トムソン散乱線の理論強度ＩＳＴｉＴｈｏｍに対するコンプトン散乱線の理論強度ＩＳＴｉＣｏｍｐの比を適用する。
【００３１】
ＩＳＴｉＲ＝(ＩＳＴｉＣｏｍｐ／ＩＳＴｉＴｈｏｍ)    …（６）
【００３２】
同様に、前式（３）の散乱線の換算測定強度ＩｓｍｅａｓＭｉや前式（１）の散乱線の測定強度ＩｍｅａｓＭにも、また後述するステップ６においても、散乱線の強度比を適用する。
【００３３】
このように作成した式（２）、（３）の差分連立方程式を解き、各測定元素の濃度ｗｉ、非測定元素の平均原子番号Ｚについて、修正値Δｗｊ、ΔＺを求め、次式（７）、（８）のように、もとの値ｗｉｏｌｄ，Ｚｏｌｄに加えることにより、更新した値ｗｉｎｅｗ，Ｚｎｅｗを求める。非測定元素の濃度は、１００％から測定元素の濃度ｗｉの合計を差し引いて求める。
【００３４】
ｗｉｎｅｗ＝ｗｉｏｌｄ＋Δｗｊ    …（７）
【００３５】
Ｚｎｅｗ＝Ｚｏｌｄ＋ΔＺ    …（８）
【００３６】
次に、ステップ６で、更新した各測定元素の濃度ｗｉｎｅｗおよび非測定元素の平均原子番号Ｚｎｅｗに基づいて、各蛍光Ｘ線の理論強度ＩＦＴｉと散乱線の理論強度ＩＳＴｉを計算し、前式（１）で求めた各換算測定強度ＩｍｅａｓＴとの差が所定値以下か否かによって、収束判定を行う。収束判定は、理論強度と換算測定強度との差が換算測定強度の所定比率（例えば０．１％）以下か否かによって行ってもよい。収束していないと判定した場合には、ステップ４に戻り、ステップ６までのステップを収束するまで繰り返す。つまり、試料から発生する２次Ｘ線（測定元素の蛍光Ｘ線と非測定元素に対応する散乱線）について、理論強度と換算測定強度とが一致するように、仮定した測定元素の濃度と仮定した非測定元素の平均原子番号を逐次近似的に修正計算する。
【００３７】
そして、収束したと判定した場合には、ステップ７へ進み、最新の各測定元素の濃度、非測定元素の平均原子番号、および、必要に応じて試料の面積密度（または厚さ）を結果として出力する。
【００３８】
なお、前記ステップ５を、次のステップ５Ａとステップ５Ｂに分けて実行することもできる。まず、ステップ５Ａで、非測定元素の平均原子番号を固定しておき、各測定元素の濃度のみを更新する。次に、ステップ５Ｂで、各測定元素の濃度を最新の値に固定しておき、次式（９）からΔＺを求めて、非測定元素の平均原子番号のみを更新する。
【００３９】
ＩｓｍｅａｓＴｉ−ＩＳＴｉ＝(ｄＩＳＴｉ／ｄＺ)ΔＺ    …（９）
【００４０】
また、面積密度を同時に分析するときには、測定する散乱線を１つ追加して、その散乱線について前式（３）を追加するとともに、差分連立方程式の各式（２）、（３）の右辺に面積密度の微分項を追加すればよい。例えば、前式（３）が、コンプトン散乱線についての式と、トムソン散乱線についての式の２つになる。
【００４１】
なお、算出手段１０が、図２に示したフローチャートに代えて、非線形問題の解法として知られる、マルカート法、シミュレーテッドアニーリング法、遺伝的アルゴリズムを用いる方法などにしたがって演算を行うようにしてもよい。
【００４２】
試料に応じてどのような散乱線の強度を利用するかについては、前記特願２００４−２５１７８５に記載の発明と同様である。非測定元素を水素と水素以外に分けて、水素以外の非測定元素について平均原子番号を仮定し、コンプトン散乱線の強度とトムソン散乱線の強度を両方利用することもできる点についても、同様である。さらに、以上において、コンプトン散乱線に代えて、１次Ｘ線の連続Ｘ線の散乱線（バックグラウンド）を用いることもできる点についても、同様である。
【００４３】
次に、本発明の特徴たるステップ３、４での理論強度の計算について説明する。この実施形態の装置の算出手段１０は、理論強度を計算するにあたり、試料１３の大きさ、ならびに試料表面１３ａの各位置に照射される１次Ｘ線２の強度および入射角φをパラメータとして、光路（２，４，６）ごとに２次Ｘ線６の理論強度をシミュレーション計算する。より具体的には、以下のように、図３に示すフローチャートにしたがって理論強度を計算する。
【００４４】
まず、ステップ３−１で、１次Ｘ線の発生位置、方向を乱数で決める。
【００４５】
次に、ステップ３−２で、決めた発生位置、方向にしたがって、試料表面まで１次Ｘ線を進行させる。
【００４６】
次に、ステップ３−３で、進行させた１次Ｘ線が途中でアパーチャー１１やマスク１２などに衝突したか否かを判定する。衝突した場合はステップ３−１へ戻り、しなかった場合はステップ３−４へ進む。
【００４７】
ステップ３−４では、試料の吸収係数と乱数から、１次Ｘ線の吸収（散乱）位置を決める。
【００４８】
次に、ステップ３−５で、決めた吸収（散乱）位置が、試料の厚さよりも深い位置か否かを判定する。深い場合はステップ３−１へ戻り、そうでない場合はステップ３−６へ進む。
【００４９】
ステップ３−６では、その１次Ｘ線が吸収（散乱）されたことにより発生する２次Ｘ線（蛍光Ｘ線または散乱線）の出射方向を決める。
【００５０】
次に、ステップ３−７で、出射方向を決めた２次Ｘ線の強度を計算し、ステップ３−８でその計算した強度を記録する。
【００５１】
次に、ステップ３−９で、あらかじめ設定した回数だけ１次Ｘ線を発生させたか否かを判定する。発生させていない場合はステップ３−１へ戻り、発生させた場合はステップ３−１０へ進む。
【００５２】
最後にステップ３−１０において、ステップ３−８で記録された強度の総計が求める理論強度となる。
【００５３】
なお、ステップ３−１から３−３で実行する内容は、試料によらないため、あらかじめ計算しておくことができる。そうする場合には、各試行についての試料表面での１次Ｘ線の発生位置、方向を、所定の回数分計算して記憶しておく。そして、実際の試料についての計算時に、記憶しておいた１次Ｘ線の発生位置および方向を順次呼び出すというステップを、ステップ３−１から３−３に代える。さらに、あらかじめ行う計算の各試行で、ステップ３−４で用いる乱数も同時に発生させ、１次Ｘ線の発生位置および方向とともに記憶しておくこともできる。そうすれば、比較的計算時間を要する乱数の発生を、試料ごとの実際の計算時に行う必要がなくなり、計算時間をより短縮することができる。
【００５４】
以上のように、この実施形態の装置によれば、理論強度を計算するにあたり、試料１３の大きさ、ならびに試料表面１３ａの各位置に照射される１次Ｘ線２の強度および入射角φをパラメータとして、光路（２，４，６）ごとに２次Ｘ線６の理論強度をシミュレーション計算する（レイトレース計算または光跡追跡法ともいう）ので、多数の感度曲線をあらかじめ求めておく必要がなく、種々の試料１３について、簡便にしかもジオメトリ効果を十分現実に則し加味して理論強度を計算し、十分正確に定量分析できる。なお、試料１３の組成を算出するために要する全体の計算時間は、従来よりも長くなるが、十分実用の範囲内である。
【００５５】
なお、算出手段１０が、ステップ１〜４において、複数の仮定した組成について、理論強度を同時に計算することが好ましい。この好ましい構成によれば、全体の計算時間が短縮される。
【００５６】
また、算出手段１０が、あらかじめ求められた試料表面における１次Ｘ線の入射角φ分布または散乱角ψ分布を用いることが好ましい。これらの分布は、分光素子５による検出効率も加味したものとする。試料表面における１次Ｘ線の入射角φ分布や散乱角ψ分布は、通常、Ｘ線源１を変更しない限り変化するものではないので、この好ましい構成においては、それをあらかじめ求めておいて理論強度の計算に用いる。これによれば、理論強度の計算時間が短縮されるため、全体の計算時間も短縮される。特に、試料１３が薄膜などのように薄い場合に効果的である。なお、試料表面における１次Ｘ線の入射角φ分布や散乱角ψ分布は、試料ごとに変化するものではないので、前記従来の技術における感度曲線のように、多数求めておく必要はない。
【００５７】
さらに、試料表面の高さを測るための目盛りが設けられた試料容器を備えることが好ましい。例えば、内側に目盛りが設けられた炊飯器の釜のようなものである。前記パラメータとしての試料表面１３ａの各位置に照射される１次Ｘ線２の強度および入射角φは、Ｘ線源１に対する試料表面１３ａの高さによって変わってくるため、試料表面１３ａの高さは既知でなければならない。この好ましい構成においては、試料容器に試料表面１３ａの高さを測るための目盛りが設けられているので、試料表面１３ａの高さの測定や調整が容易である。
【００５８】
以上の実施形態の装置は、通常、コンピュータを備えるが、そのコンピュータを前記算出手段として機能させるためのプログラムも、本発明の実施形態である。
【図面の簡単な説明】
【００５９】
【図１】本発明の一実施形態の蛍光Ｘ線分析装置を示す概略図である。
【図２】同装置が備える算出手段による計算全体を示すフローチャートである。
【図３】同算出手段による理論強度の計算を示すフローチャートである。
【符号の説明】
【００６０】
１  Ｘ線源
２  １次Ｘ線
４  ２次Ｘ線（蛍光Ｘ線、散乱線）
９  検出手段
１０  算出手段
１３  試料
１３ａ  試料表面
φ  入射角
ψ  散乱角
【図１】
2006292399.tif 000003
【図２】
2006292399.tif 000004
【図３】
2006292399.tif 000005